(57)【要約】  第１連結部分（２６）を備えた接続部（２）と、第２連結部分（１６）を備えたセンサ部材（１）であって、第１連結部分（２６）と連結可能であるまたは第２連結部分（２６）に連結されているセンサ部材とを備えたセンサ配置部であって、センサ配置部が、接続部（２）とセンサ部材（１）とが互いに連結された場合には、差し込み連結部分（８）を有する、センサ配置部。
2017501404.tif 000002
【特許請求の範囲】
【請求項１】
第１連結部分（２６）を備えた接続部（２）と、
第２連結部分（１６）を備えたセンサ部材（１）であって、前記第１連結部分（２６）と連結可能である、または、前記第２連結部分（２６）と連結されている、センサ部材（１）と
を備えたセンサ配置部であって、前記センサ配置部は、接続部（２）とセンサ部材（１）とが互いに連結された場合には、差し込み連結部分（８）を有する、センサ配置部。
【請求項２】
前記接続部（２）も前記センサ部材（１）も、前記差し込み連結部分（８）の領域を含む、請求項１に記載のセンサ配置部。
【請求項３】
前記差し込み連結部分（８）は、プラグまたはソケットとして形成されている、上記請求項のいずれか１項に記載のセンサ配置部。
【請求項４】
前記センサ部材（１）は接続接点（１２）を有し、前記接続接点は、接続部（２）とセンサ部材（１）とが互いに連結された際に、前記差し込み連結部分（８）に含まれている、上記請求項のいずれか１項に記載のセンサ配置部。
【請求項５】
前記接続部（２）は、筐体（２４）と前記筐体（２４）を貫通する空洞部（２１）とを有し、前記空洞部は、接続部（２）とセンサ部材（１）とが互いに連結されている際には、中に前記センサ部材（１）が位置付けられている開口を有し、その結果、前記差し込み連結部分（８）の底面は、前記センサ部材（１）の１つの領域である、上記請求項のいずれか１項に記載のセンサ配置部。
【請求項６】
前記接続部（２）の前記筐体（２４）が、前記空洞部（２１）の側壁を形成し、接続部（２）とセンサ部材（１）とが互いに連結されている際には、前記差し込み連結部分（８）のカラー部（８１）が、前記側壁の１つの領域である、請求項５に記載のセンサ配置部。
【請求項７】
前記接続部（２）は、符号化手段（２０１、２０２、２０３、２０４）を有する、上記請求項のいずれか１項に記載のセンサ配置部。
【請求項８】
前記符号化手段（２０１、２０２、２０３、２０４）は、接続部（２）とセンサ部材（１）とが互いに連結されている際に前記差し込み連結部分（８）に含まれている前記接続部（２）の領域中に、凹部および／または凸部および／または空洞部を有する、請求項７に記載のセンサ配置部。
【請求項９】
前記凹部および／または凸部は、前記差し込み連結部分（８）のカラー部（８１）の内側または外側に配置されていて、および／または、前記空洞部は、前記カラー部（８１）中の貫通空洞部である、請求項８に記載のセンサ配置部。
【請求項１０】
接続部（２）とセンサ部材（１）とが互いに連結された際には、前記第１連結部分および第２連結部分（２６、１６）が、形状締結で互いに係合し合い、かつバネ力により圧力ばめで固定されている、上記請求項のいずれか１項に記載のセンサ配置部。
【請求項１１】
前記第１連結部分（２６）は、前記第２連結部分（１６）の対となる部分（１３）を受容しこれとラッチする間隙（２３）を有し、または、
前記第２連結部分（１６）は、前記第１連結部分（２６）の対となる部分を受容しこれとラッチする間隙を有する、上記請求項のいずれか１項に記載のセンサ配置部。
【請求項１２】
前記センサ部材（１）が、温度計測のために形成されている、センサ配置部。
【請求項１３】
上記請求項のいずれか１項に記載のセンサ配置部を備えたセンサ配置部システムであって、前記センサ配置部システムが、さらに第３連結部分（２７）を有し、
前記第３連結部分（２７）と連結可能または連結されている第４連結部分（３７）を備えた固定部材（３）を備えている、センサ配置部システム。
【請求項１４】
前記第３および／または第４連結部分（２７、３７）は、弾性を有する領域（３２、２２）とラッチ手段（３４、２７３）とを有する、センサ配置部システム。
【請求項１５】
センサ配置部部材セットであって、
第１連結部分（２６）を備えた第１接続部（２）と、
前記第１接続部（２）の前記第１連結部分（２６）とは異なる第１連結部分（２６）を備えた第２接続部（２）と、
前記第１接続部（１）の前記第１連結部分（２６）と連結可能である第２連結部分（１６）を備えた、センサ部材（１）と
を備え、その結果、互いに連結された第１接続部（２６）とセンサ部材（１）とからなる前記センサ配置部が、差し込み連結部分（８）を有し、前記差し込み連結部分は、互いに連結された第２接続部（２）とセンサ部材（１）とからなるセンサ配置部が有する差し込み連結部分（８）とは異なる、
センサ配置部部材セット。
【発明の詳細な説明】
【技術分野】
【０００１】
本発明は、センサ配置部、センサ配置部システムおよび複数のセンサ配置部部材のセットに関する。
【背景技術】
【０００２】
センサは計測検知部を有し、この計測検知部は、１つまたは複数の物理的パラメータを計測するように形成されている。ある例示的な計測検知部は、温度センサである。
【０００３】
温度センサは、システム（例えば、暖房設備、熱ポンプなど）中の温度を計測するために、採用可能である。この種のシステム中の複数の計測箇所で温度が検出される際、センサの電気接続部は、該当する計測箇所において、取り違えられないように保証されるべきであり、その結果、割り当てられた計測箇所において、ある１つの電気接続部を１つのセンサに割り当てることが保証され、維持される。
【０００４】
センサは差し込み連結部分を有し、これを用いて、このセンサは、センサ信号をさらに処理するために、配線または配置部の電気接続部の対となる差し込み連結部分と連結できる。
【０００５】
取り違えを防ぐために、センサは取り替え可能であってはならない。これは、センサが、その差し込み連結領域において符号化されていることにより、例えば色の特徴を有することにより達成されうる。センサが連結される、対となる差し込み連結部分も、これに相応するように符号化され、その結果、取り違えが回避される。
【０００６】
機械的な符号化では、センサと電気接続部との互いに合う差し込み連結部分が、形状締結で連結可能であるが、しかし、別の接続部の差し込み連結部分への差し込みは可能ではない。
【０００７】
アフターサービスのためには、したがって多くのセンサの変形例が提供されうるが、この際、当然、その製造は、変形例が様々であるがゆえに、高いコストと結びついている。
【発明の概要】
【発明が解決しようとする課題】
【０００８】
本発明の課題は、取り違えを防ぐことができる代替例を提供することである。
【課題を解決するための手段】
【０００９】
この課題は、特許請求項１の特徴を備えたセンサ配置部により達成される。
このセンサ配置部は、２つの別個の部品である接続部とセンサ部材とを含み、これらが互いに連結可能でありまたは連結されている。この互いに連結されたセンサ部材と接続部とからなるセンサ配置部は、従来のセンサとは異なり、少なくとも２つの部品からなる。これらの部品は、互いに依存することなく製造されうる。完成直前に初めてセンサ部材は接続部と連結される。
【００１０】
このセンサ配置部は、第１連結部分を備えた接続部と、第２連結部分を備えたセンサ部材であって、第１連結部分と連結可能である、または、第２連結部分と連結されているセンサ部材とが設けられている。このセンサ配置部は、接続部とセンサ部材とが互いに連結された場合には、差し込み連結部分を有する。
【００１１】
発送前に、センサ部材と接続部とが、第１および第２連結部分とを用いて互いに連結でき、その結果、様々に異なる差し込み連結部分を備えて様々に異なる形で組み立てが完成したセンサ配置部が、例えば、システム中での温度計測用に提供される。差し込み連結部分の様々に異なる変形例を採用することにより、取り違えを防ぐことができる。あるいは、センサ部材と接続部との連結は、センサ配置部を計測箇所に固定する直前に行うことも可能である。
【００１２】
製造時に利点が生じるが、その理由は、等しいセンサ部材を、多数の様々な接続部用に製造可能で、等しいセンサ部材用に接続部のみを異なるように製造すればよいからであるが、これにより、製造プロセスが単純化される。
【００１３】
センサ配置部は、すでに互いに連結された接続部とセンサ部材として発送可能であるが、その結果、接続部とセンサ部材との各組み合わせが、異なるソケットを有し、この場合には、プラグの取り違えは可能ではない。
【００１４】
センサ接続部の取り違えに対する安全性以外に、アフターサービス用に、交換部品としてセンサ部材のみが必要である。差し込み符号化を備えた筐体は、計測箇所に留まり、等しい構成のセンサ部品を受容する準備がすでにできている。
【００１５】
連結はスナップ連結を用いて行われうる。連結部分は、連結時に、形状締結により、互いに対して合うように配向可能であり、バネ力により圧力ばめで互いに連結可能でありうる。有利な場合には、この連結は、ラッチ部を有し、その結果、複数の部品が、互いから切り離されえない、または、ほぼ切り離されえない。意図しない連結の解除から追加的に守るために、さらなる手段を設けることができる。
【００１６】
センサ配置部に給電し、かつ、検出された計測値を読み取るために、この差し込み連結部分は、対応する対となる差し込み連結部分を備えたセンサ配置部を、切り離しかつ連結することができるようにする。
【００１７】
電気的な差し込み連結部においては、（外側を向いた接点ピンを備えた）差し込み連結のオス部分が、（内側を向いた接点開口を備えた）メス部分から区別される。オス部分は、プラグと称する。メス部分は、ソケットまたはカプラと称する。差し込み連結部分であるセンサ配置部は、プラグまたはソケットとして形成可能である。両性の差し込み部材を備えた差し込み連結部分も存在する。
【００１８】
差し込み連結部分は、管状のカラー部を有しうるが、これは、接続接点の周りで差し込み連結部分の外側縁部を形成し、対となる差し込み連結部分をガイドするために機能しうる。とりわけ、一方の差し込み連結部分のカラー部は、連結時にこの他方の差し込み連結部分のカラー部を取り囲む。これにより、接点の連結以外に、差し込み連結部分のさらなる機械的な連結が可能になる。
【００１９】
ある有利な構成では、接続部もセンサ部材も、差し込み連結部分の領域を含む。この差し込み連結部分は、センサ部材と接続部とを連結することにより初めて形成される。あるいは、差し込み連結部分は、センサ部材に、または、有利な場合には接続部に設けられていることができる。
【００２０】
ある構成では、センサ部材は接続接点を有し、この接続接点は、接続部とセンサ部材とが互いに連結された際に、差し込み連結部分に含まれる。この接続接点は、ある実施形態では、差し込み連結部分のピン状またはレール状の接点部材を形成可能で、または、ある代替的な実施形態では、ソケットの接点開口を形成しうる。
【００２１】
ある実施形態では、接続部は空洞部を有し、この空洞部は、中にセンサ部材が位置付けられている開口を有し、その結果、接続部とセンサ部材とが互いに連結されている際には、差し込み連結部分の底面は、センサ部材の１つの領域である。接続部とセンサ部材とが互いに連結されている際には、空洞部の壁は、差し込み連結部分のカラー部を形成可能である。接続接点がセンサ部材の筐体から突出する場合には、接続部とセンサ部材とが互いに連結された際には、センサ配置部は、プラグを有する。筐体中に接点開口が配置されている場合には、接続部とセンサ部材とが互いに連結されている際には、センサ配置部はソケットを有する。
【００２２】
接続部は、有利な場合には、符号化手段を有する。この場合、これは、色マークおよび／または機械的な符号化手段でありえ、これを用いて、接続部を備えたセンサ配置部が、このために設けられていない接続箇所において位置付けられるのが、防がれることになっている。
【００２３】
符号化手段は、例えば、接続接点の向こう側にあるノッチとジャーナルとでありえ、これらが、接点は合うが符号化がぴったりと合わない他の対となる差し込み連結部分中への差し込みを防ぐ。
【００２４】
機械的な符号化手段は、接続部（これは、接続部とセンサ部材とが互いに連結されている際に、差し込み連結部分に含まれている）の領域中の、１つまたは複数の凹部および／または凸部でありえる。この凹部と凸部とは、例えば溝状、ピン状および／または縁部または台状部として形成可能である。差し込み連結部分のカラー部壁には構造物がありえる、および／または、中に貫通空洞部、例えば穴がありえる。これらの構造物は、差し込み連結部分のカラー部の内側および／または外側に設けられていることができる。差し込み連結部分の底面に位置付けることも可能である。この種の凹部と凸部とは、差し込み連結部分とこれに対応する対となる差し込み連結部分との間の連結が可能になるように、対応する対となる差し込み連結部分の対応する凹部と隆起部との中に係合せねばならない。
【００２５】
有利な場合には第１連結部分は、第２連結部分の対となる部分を受容しこれとラッチする間隙を有し、または、第２連結部分が、第１連結部分の対となる部分を受容しこれとラッチする間隙を有する。この間隙は、筐体中または筐体に接触する位置で、対となる部分を受容するために形成された領域である。
【００２６】
ラッチ部とは、双方の連結部分が連結時にそれらの特殊な位置で留まる装置のことである。ある構成では、ラッチ手段は、突起または凹部を、連結部分の弾性を有する領域上に有することができ、この領域は、バネ力に基づき、他方の連結部分の凹部中に固定されている。ラッチ手段は、有利な場合には、ラッチ位置からの後方移動が難しいように形成されている。
【００２７】
ある構成では、センサ配置部システムは、センサ配置部以外に、さらに第３連結部分を有し、この第３連結部分と連結可能または連結されている第４連結部分を備えた固定部材も含むように設けられている。
【００２８】
固定部材により、接続箇所を所望の計測箇所に位置付けることが可能になる。この種の固定部材は、例えば暖房設備の管に固定可能である。その後、接続部はセンサ部材と共に上に載せられ、その結果、第３連結部分と第４連結部分との間の連結が生じる。有利な場合には、第３および／または第４連結部分は、ラッチ手段を有する。有利な場合には、固定部材は、連結部材を貫通させるための間隙を有する。これは、例えば鳩目でありえ、これを通って、固定部材を管に固定するために、ケーブルバインダーがガイドされる。第４連結部分は、例えば、弾性を有するクリップを有することができ、これが、固定部材と接続部との連結の固定を可能にするが、しかし、バネ力があるがゆえに、解除も可能となる。しかし、解除可能ではない連結も考えられる。
【００２９】
さらに、センサ配置部のセットが設けられている。これは、第１連結部分を備えた第１接続部と、第１接続部の第１連結部分とは異なる第１連結部分を備えた第２接続部とを含んでいる。さらに、第１連結部分と連結可能である第２連結部分を備えた、センサ部材が設けられていて、その結果、互いに連結された第１接続部とセンサ部材とからなる配置部が、ある差し込み連結部分を有し、この差し込み連結部分は、互いに連結された第２接続部とセンサ部材とからなる配置部が有する差し込み連結部分とは異なる。
【００３０】
様々な接続部のこのセットにより、等しいセンサ部材で、互いに連結されたセンサ部材と接続部との様々なセンサ配置部を提供することが可能になるが、これらのセンサ配置部は、これらの差し込み連結部分が異なり、相応に合う対となる部分のみと連結可能であるがゆえに、取り違えから守られている。
【００３１】
以下に、本発明を図面に基づいて具体的に説明する。
【図面の簡単な説明】
【００３２】
【図１】センサ部材と、接続部と、管部に固定されている固定部材とを備えたセンサ配置部の分解図である。
【図２】センサ部材のさらなる実施形態を示す図である。
【図３】接続部のさらなる実施形態を示す図である。
【図４】図１に示した固定部材を含んだ、組み立てられたセンサ配置部を示す図である。
【発明を実施するための形態】
【００３３】
図１中に提示したセンサ配置部の実施形態は、センサ部材１と、接続部２と、固定部材３とを具備し、この固定部材は管部５に固定されている。
【００３４】
センサ部材１は、筐体１４と、計測検知部１１とを具備し、この計測検知部は、その周囲の物理的もしくは化学的特性または原材料の性質を、定性的または好ましくは定量的に検出可能である。この実施形態では、計測検知部１１は温度検知部である。この計測検知部１１は、少なくとも部分的に筐体１４の内側または外側に配置可能である。検出された物理的または化学的特性は、電気信号に変換され、この信号が、センサ部材１の出力側に与えられ、さらに処理可能である。
【００３５】
さらに、このセンサ部材１は接続接点１２を具備し、この接続接点を用いて電気信号が提供される。図示したこの実施形態では、接続接点１２は、舌状の金属レールであり、これは、センサ部材１の筐体１４から突出する。外側を向いた接続接点、例えばピン形状の接続接点という代替となる構成も考えられる、さらにセンサ部材１は、２つの対向する筐体側面に弾性を有するレール状の領域１３を有し、これは、その外側にラッチ手段１５を備えている。このラッチ手段１５の一例は、レール１３上の三角形状の隆起部である。
【００３６】
レール１３とラッチ手段１５との組み合わせが、センサ部材１の連結部分１６を形成する。
【００３７】
接続部２は、前面と裏面とを備えた筐体２４を具備し、この筐体は、前面と裏面との間に貫通間隙２１を有する。前面の領域では、間隙２１の内側が、溝状の凹部２０１と凸部２０２とを有し、これらは接続部２の縦軸６に対して平行に延在する。筐体の外側では、同様に凹部２０３と凸部２０４とが設けられていて、これらが、接続部２の縦軸６に対して平行に延在する。凸部および凹部２０１、２０２、２０３、３０４は、符号化手段である。
【００３８】
筐体２４は、さらに、裏面に隣接して、側壁の外側への突出部２３を有し、この突出部は空洞部２５を備えている。
【００３９】
間隙２１と外側への突出部２３とは、接続部２の連結部分２６を形成する。この接続部２の連結部分２６（以下では、第１連結部分と称する）は、センサ部材１の連結部分１６（以下では、第２連結部分と称する）と連結可能である。
【００４０】
接続部２は、第３連結部分２７を具備するが、これは、凸部２７１として筐体下面に形成されていて弾性を有する舌部２２を具備し、この舌部が、凸部２７１から前方側に伸張し、その先端でラッチ手段２７３を有する。
【００４１】
センサ部材１は、第１および第２連結部分１６、２６を用いて、接続部２と連結可能であるが、これは、連結部分１６、２６がラッチするまで、裏面側で、センサ部材１が、接続接点１２でもって、接続部２の空洞部２１中に押し入れられることにより行われる。この際、弾性を有するレール１５は、ラッチ手段１５が空洞部２５中に位置付けられ、これによって連結が固定されるまで、外側への突出部２３に沿ってガイドされる。
【００４２】
接続部２の外側への突出部２３は、対となる部分として機能するセンサ部材１のレール１３を、精確に適合するように受容するように形成されている。連結時には、ラッチ手段１５が、外側への突出部２３中の空洞部２５中でのそれの位置に達し、センサ部材１と接続部２とがラッチするまで、レール１３は、外側への突出部２３に沿ってガイドされる。
【００４３】
この実施形態は、第１および第２連結部分１６、２６の一例を図解している。形状締結で互いの中に位置付けられ、かつラッチされうるさらなる構成も考えうる点に注意されたい。これらの連結部分１６、２６のうちの１つは、連結時に、他方の連結部分１６、２６の対となる部分がその中で形状締結係合する間隙を有する。
【００４４】
接続部２とセンサ部材１とが互いに連結される際には、センサ配置部は、差し込み連結部分８を有し、この差し込み連結部分は、センサ配置部が接触可能である差し込み連結部の１部分である。
【００４５】
接続部２とセンサ部材１とが互いに連結される際には、接続部２の筐体２４と、接続接点１２と、この接続接点が突出するセンサ部材１の筐体領域とが、１つのプラグを形成し、これが、ソケットないし（不図示の）カプラと連結可能である。
【００４６】
接続部２とセンサ部材１とが互いに連結される際には、センサ部材２の接続部材１２が、空洞部２１の前面を通ってアクセス可能となっている。空洞部２１の壁は、カラー部８１を形成し、センサ部材１の筐体領域からは接続接点１２が突出するが、このセンサ部材の筐体領域が、プラグ８の底面を形成する。
【００４７】
このプラグ８は、符号化手段２０１、２０２、２０３、２０４を有する。この実施形態では、プラグ８の輪郭は、接続部２中の空洞部２１を取り囲む筐体壁の凹部と隆起部とにより、このプラグ８が、相応に適合されるソケットないしカプラとのみ連結可能であるように形成されている。これらの形状ならびにこれらの接点開口の位置および形状は、センサ部材１と接触するために、カラー部８１と接続接点１２との中に係合可能でなければならない。
【００４８】
この実施形態では、溝状の凹部と凸部２０１、２０２、２０３、２０４とが、縦軸６に沿った符号化手段として設けられている。代替としてまたは追加的に、ピン状または螺旋状の凹部も設けられていることができる。ある別の実施形態では、プラグ８は、バヨネット取付け部の１部分であるように形成されている。
【００４９】
代替としてまたは追加的に、符号化は、接続部２上の色付きのマークまたは色付きの筐体２４により行われうる。
【００５０】
組み立てられたセンサ配置部は、固定部材３を用いて、計測箇所（この実施形態では、管部分５である）に固定されている。
【００５１】
この固定部材３は、Ｕ字型に湾曲した弾性を有する部材で、例えばプラスチックまたは金属薄板から製造可能である。この固定部材３は、計測箇所と連結される。この連結は、例えば貼り付けまたはねじ止めにより行われる。この実施形態では、固定部材３は、その下面に鳩目３１を有し、これを通って、固定部材３を管に固定するためのさらなる固定部材４（例えば、ケーブルバインダーまたはＯ型クランプ）がガイドされうる。
【００５２】
さらに、この固定部材３は、その上面に第４連結部分３７を有し、これが、間隙３３の両側に舌部３２を備えた弾性を有するクリップを有する。舌部３２は、その先端にラッチ手段３４を有する。さらに空洞部３６が設けられている。
【００５３】
第３および第４連結部分２７、３７は、センサ配置部を計測箇所に固定するために、例えばスナップ連結で連結可能である。
【００５４】
接続部２が固定部材３上に押されると、隆起部２７１が間隙３３中に位置付けられ、舌部３２がセンサ配置部とラッチする。ラッチ手段３４は、この目的のために、筐体２４の空洞部中に係合し、または、筐体下面における縁部の後方に係合する。さらに、接続部２の舌部２２は、固定手段３中の空洞部３６にラッチされ、その結果、計測箇所におけるセンサ配置部の確実な固定が達成される。
【００５５】
図２は、センサ部材１のさらなる実施形態を示すが、この実施形態は、図１で提示された実施形態とは、以下の点が異なっている、すなわち、筐体から突出する接続接点１２の代わりに、接点開口１９が接続接点として設けられているという点が異なっている。この種のセンサ部材１を接続部２と連結することにより、図１に示すように、組み立てられたセンサ配置部はソケットを有し、このソケットが、（不図示の）プラグを用いて接続ピンと接触しうる。
【００５６】
図３は、接続部のさらなる実施形態を示すが、これは、図１中で提示した接続部とはその符号化手段に関して異なる。下方の筐体内壁に２つの溝２０１を備えた図１の接続部とは異なり、この実施形態では、下方の筐体内壁中に、１つの溝２０１のみを有し、その結果、図１中に図示された実施形態に合う２つの隆起部を備えた対となる差し込み連結部分は、この間隙２１中、および対応するプラグには適合しないであろう。
【００５７】
図４は、固定手段３において固定されて組み立てられたセンサ配置部を斜め後ろから見た図である。このセンサ配置部は、筐体１４から突出する計測検知部１１が計測箇所の直近に位置付けられているように、固定手段３と連結されている。
【００５８】
センサ配置部部材セットには、様々な接続部２が設けられていて、これらは、それらの符号化手段に関して、すなわち隆起部と空洞部と凹部との配置に関して互いに異なっている。各接続部２は、１つのセンサ部材１と連結可能であり、その結果等しいセンサ部材１と様々な接続部２とから様々なセンサ配置部を組み立てうる。これらのセンサ配置部は、その符号化手段に関して異なるので、これらの差し込み連結部分も異なり、その結果、電気接続部の取り違えは防がれるが、この理由は、差し込み連結部分が、これに合う対となる差し込み連結部分とのみ連結可能であるからである。このセットは、様々なセンサ部材、例えば、図１および図２に示したようなセンサ部材も有しうる。これにより、組み合わせの可能性が広がるが、この理由は、センサ配置部が、ソケットまたはプラグを備えて組み立て可能であるからである。
【００５９】
これらの実施形態の特徴は、組み合わせ可能である。
【図１】
2017501404.tif 000003
【図２】
2017501404.tif 000004
【図３】
2017501404.tif 000005
【図４】
2017501404.tif 000006
【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
第１連結部分（２６）を備えた接続部（２）と、
第２連結部分（１６）を備えたセンサ部材（１）であって、前記第１連結部分（２６）と連結可能である、または、前記第１連結部分（２６）と連結されている、センサ部材（１）と
を備えたセンサ配置部であって、前記センサ配置部は、接続部（２）とセンサ部材（１）とが互いに連結された場合には、差し込み連結部分（８）を有する、センサ配置部。
【請求項２】
前記接続部（２）も前記センサ部材（１）も、前記差し込み連結部分（８）の領域を含む、請求項１に記載のセンサ配置部。
【請求項３】
前記差し込み連結部分（８）は、プラグまたはソケットとして形成されている、上記請求項のいずれか１項に記載のセンサ配置部。
【請求項４】
前記センサ部材（１）は接続接点（１２）を有し、前記接続接点は、接続部（２）とセンサ部材（１）とが互いに連結された際に、前記差し込み連結部分（８）に含まれている、上記請求項のいずれか１項に記載のセンサ配置部。
【請求項５】
前記接続部（２）は、筐体（２４）と前記筐体（２４）を貫通する空洞部（２１）とを有し、前記空洞部は、接続部（２）とセンサ部材（１）とが互いに連結されている際には、中に前記センサ部材（１）が位置付けられている開口を有し、その結果、前記差し込み連結部分（８）の底面は、前記センサ部材（１）の１つの領域である、上記請求項のいずれか１項に記載のセンサ配置部。
【請求項６】
前記接続部（２）の前記筐体（２４）が、前記空洞部（２１）の側壁を形成し、接続部（２）とセンサ部材（１）とが互いに連結されている際には、前記差し込み連結部分（８）のカラー部（８１）が、前記側壁の１つの領域である、請求項５に記載のセンサ配置部。
【請求項７】
前記接続部（２）は、符号化手段（２０１、２０２、２０３、２０４）を有する、上記請求項のいずれか１項に記載のセンサ配置部。
【請求項８】
前記符号化手段（２０１、２０２、２０３、２０４）は、接続部（２）とセンサ部材（１）とが互いに連結されている際に前記差し込み連結部分（８）に含まれている前記接続部（２）の領域中に、凹部および／または凸部および／または空洞部を有する、請求項７に記載のセンサ配置部。
【請求項９】
前記凹部および／または凸部は、前記差し込み連結部分（８）のカラー部（８１）の内側または外側に配置されていて、および／または、前記空洞部は、前記カラー部（８１）中の貫通空洞部である、請求項８に記載のセンサ配置部。
【請求項１０】
接続部（２）とセンサ部材（１）とが互いに連結された際には、前記第１連結部分および第２連結部分（２６、１６）が、形状締結で互いに係合し合い、かつバネ力により圧力ばめで固定されている、上記請求項のいずれか１項に記載のセンサ配置部。
【請求項１１】
前記第１連結部分（２６）は、前記第２連結部分（１６）の対となる部分（１３）を受容しこれとラッチする間隙（２３）を有し、または、
前記第２連結部分（１６）は、前記第１連結部分（２６）の対となる部分を受容しこれとラッチする間隙を有する、上記請求項のいずれか１項に記載のセンサ配置部。
【請求項１２】
前記センサ部材（１）が、温度計測のために形成されている、上記請求項のいずれか１項に記載のセンサ配置部。
【請求項１３】
上記請求項のいずれか１項に記載のセンサ配置部を備えたセンサ配置部システムであって、前記センサ配置部システムが、さらに第３連結部分（２７）を有し、
前記第３連結部分（２７）と連結可能または連結されている第４連結部分（３７）を備えた固定部材（３）を備えている、センサ配置部システム。
【請求項１４】
前記第３および／または第４連結部分（２７、３７）は、弾性を有する領域（３２、２２）とラッチ手段（３４、２７３）とを有する、請求項１３に記載のセンサ配置部システム。
【請求項１５】
センサ配置部部材セットであって、
第１連結部分（２６）を備えた第１接続部（２）と、
前記第１接続部（２）の前記第１連結部分（２６）とは異なる別の第１連結部分（２６）を備えた第２接続部（２）と、
前記第１接続部（１）の前記第１連結部分（２６）と連結可能である第２連結部分（１６）を備えた、センサ部材（１）と
を備え、その結果、互いに連結された第１接続部（２６）とセンサ部材（１）とからなる前記センサ配置部が、差し込み連結部分（８）を有し、前記差し込み連結部分は、互いに連結された第２接続部（２）とセンサ部材（１）とからなるセンサ配置部が有する差し込み連結部分（８）とは異なる、
センサ配置部部材セット。
【国際調査報告】
2017501404.tif 000007
2017501404.tif 000008
2017501404.tif 000009
2017501404.tif 000010